(57)【特許請求の範囲】
【請求項１】
回転ローラ８上に、両端が開口されかつ内部に多数の逆送り用の掻き上げ板７を有する円筒状回転ドラム６をほぼ水平に回転自在に載置し、その回転ドラム６の両端の一方に入口フード３を、他方に出口フード５を配置し、その入口フード３側から前記回転ドラム６内の軸心上に供給筒１１を有する供給手段９を配設し、その供給筒１１と回転ドラム６との間の環状空間１４に空気ｅを供給するとともに、前記供給手段９により廃棄物ａを回転ドラム６内に送り込み、前記空気ｅにより軽量物ｃを出口フード５側に移送するとともに、重量物ｂを前記掻き上げ板７の逆送り作用により入口フード３側に逆送する廃棄物の回転式風力選別装置において、
上記掻き上げ板７は、上記回転ドラム６の内面に固定のフラットな取付板１７にボルト１８止めされるとともに、そのボルト１８をゆるめることにより、そのボルト１８を回転中心として前記取付板１７上を回転可能となって、その掻き上げ板７の長手方向と上記回転ドラム６の筒軸方向との角度θが調整可能となっていることを特徴とする廃棄物の回転式風力選別装置。
【請求項２】
回転ローラ８上に、両端が開口されかつ内部に多数の逆送り用の掻き上げ板７を有する円筒状回転ドラム６をほぼ水平に回転自在に載置し、その回転ドラム６の両端の一方に入口フード３を、他方に出口フード５を配置し、その入口フード３側から前記回転ドラム６内の軸心上に供給筒１１を有する供給手段９を配設し、その供給筒１１と回転ドラム６との間の環状空間１４に空気ｅを供給するとともに、前記供給手段９により廃棄物ａを回転ドラム６内に送り込み、前記空気ｅにより軽量物ｃを出口フード５側に移送するとともに、重量物ｂを前記掻き上げ板７の逆送り作用により入口フード３側に逆送する廃棄物の回転式風力選別装置において、
上記供給筒１１と回転ドラム６との間の環状空間１４に空気ｅを供給する手段は複数の空気供給管２から成り、その各空気供給管２は、前記回転ドラム６の軸心を中心とするほぼ同心円上に配置されるとともに、上記掻き上げ板７から廃棄物ａが多く落下する側に偏せられていることを特徴とする廃棄物の回転式風力選別装置。
【請求項３】
回転ローラ８上に、両端が開口されかつ内部に多数の逆送り用の掻き上げ板７を有する円筒状回転ドラム６をほぼ水平に回転自在に載置し、その回転ドラム６の両端の一方に入口フード３を、他方に出口フード５を配置し、その入口フード３側から前記回転ドラム６内の軸心上に供給筒１１を有する供給手段９を配設し、その供給筒１１と回転ドラム６との間の環状空間１４に空気ｅを供給するとともに、前記供給手段９により廃棄物ａを回転ドラム６内に送り込み、前記空気ｅにより軽量物ｃを出口フード５側に移送するとともに、重量物ｂを前記掻き上げ板７の逆送り作用により入口フード３側に逆送する廃棄物の回転式風力選別装置において、
上記掻き上げ板７は、その掻き上げ板７の長手方向と上記回転ドラム６の筒軸方向との角度θが調整可能となっており、かつ、上記供給筒１１と回転ドラム６との間の環状空間１４に空気ｅを供給する手段は複数の空気供給管２から成り、その各空気供給管２は、前記回転ドラム６の軸心を中心とするほぼ同心円上に配置されるとともに、掻き上げ板７から廃棄物ａが多く落下する側に偏せられていることを特徴とする廃棄物の回転式風力選別装置。
【請求項４】
回転ローラ８上に、両端が開口されかつ内部に多数の逆送り用の掻き上げ板７を有する円筒状回転ドラム６をほぼ水平に回転自在に載置し、その回転ドラム６の両端の一方に入口フード３を、他方に出口フード５を配置し、その入口フード３側から前記回転ドラム６内の軸心上に供給筒１１を有する供給手段９を配設し、その供給筒１１と回転ドラム６との間の環状空間１４に空気ｅを供給するとともに、前記供給手段９により廃棄物ａを回転ドラム６内に送り込み、前記空気ｅにより軽量物ｃを出口フード５側に移送するとともに、重量物ｂを前記掻き上げ板７の逆送り作用により入口フード３側に逆送する廃棄物の回転式風力選別装置において、
上記出口フード５内に、上記回転ドラム６の端面のほぼ上半分を覆う遮蔽板１９を設けたことを特徴とする廃棄物の回転式風力選別装置。
【発明の詳細な説明】
【０００１】
【発明の属する技術分野】
この発明は、各種廃棄物の回転式風力選別装置に関するものである。
【０００２】
【従来の技術】
この種の回転式風力選別装置は種々のものが考案され、例えば、特公平７−２９０８８号公報（公報１）、特開平６−２３３２５号公報（公報２）に記載のものがある。これらの技術は、この発明の一実施例を示す図１を参照して説明すると、回転ローラ８上に、両端が開口されかつ内部に多数の逆送り用の掻き上げ板７を有する円筒状回転ドラム６がほぼ水平に回転自在に載置され、その回転ドラム６の両端にそれぞれ入口フード３と出口フード５が配置され、その入口フード３側から前記回転ドラム６内の軸心上に供給手段を配設したものである。
【０００３】
そして、公報１、２の記載技術の廃棄物供給手段は、支持部材を介して回転ドラム６の内面に固定された輸送管と、輸送管に廃棄物を送る投入シュートから成り、その輸送管内に空気を送る空気管が設けられている。なお、公報１の回転ドラム６は、多数の貫通孔が設けられたスクリーンタイプのものであり、公報２のものは、孔が設けられていない無孔タイプのものである。
【０００４】
また、上記掻き上げ板７は、回転ドラム６の軸線に対し傾斜して固定され、環状空間１４への空気供給手段は、複数の空気供給管２よりなり、その各空気供給管２は回転ドラム６の軸心を中心とする略同心円上に配置されるとともに、環状空間１４の上半部に集中して配置されている。
【０００５】
この種の風力選別機は、空気ｅにより軽量物ｃを出口フード５側へ移送し、空気ｅの影響を受けにくい重量物ｂを掻き上げ板７の逆送り作用により入口フード３側へ逆送している。その掻き上げ板７は傾斜して取り付けられていることから、掻き上げられた廃棄物ａは入口フード３側に向かって落下することになる。このような作用により両者を選別する。
【０００６】
したがって、予め破砕された廃棄物ａを、供給手段９により回転ドラム６内に供給すると、プラスチックシートや紙等の軽量物ｃと、コンクリート片、金属片および木材片等の重量物ｂの２種類に選別する。このとき、両者が絡み合っている廃棄物ａは、掻き上げ板７による掻き上げから落下する際に、軽量物ｃが空気ｅの影響を受け、重量物ｂと軽量物ｃとの分離が促される。絡み合った廃棄物ａは、重量物ｂと軽量物ｃとの中間（以下、中量物と称する）であり、出口フード５側、入口フード３側のどちらにも移送されにくく、何度も掻き上げ板７により持ち上げられて落下するので、次第に両者が分離する。
【０００７】
【発明が解決しようとする課題】
ところで、中量物には、軽量物と重量物が絡み合ったもの以外に、野菜屑や薄い木材片等（以下、単体中量物と称する）がある。風力選別機では、重量物ｂと軽量物ｃの２種類のみに選別するものであるから、その単体中量物も、そのどちらかに選別されることになる。このとき、単体中量物、例えば、薄い木材片を、重量物ｂとして回収したい場合は、風量を減らすことで対処できる。反対に軽量物ｃとして回収したい場合は、風量を増やせばよい。しかし、選別機に供給される廃棄物ａには、色々な単体中量物が含まれるから、選別結果から、風量を調節することになる。このためには、風量調整幅の大きい大能力の送風機を用いる必要がある。
【０００８】
また、軽量物ｃと重量物ｂが絡み合ったものを分離させるには、掻き上げ板７から落下する際に、大きい力の空気ｅを当てるのが望ましい。大きな力の空気ｅを当てるには、やはり、能力の大きい送風機を用いなければならない。
【０００９】
さらに、一般に、選別に用いられた空気ｅは、出口フード５の上部から排出される。これは、空気ｅ（排気ｄ）とともに排出されるようとする細かな軽量物ｃを、自重により、少しでも、出口フード５下部の軽量物出口１２に落下させて回収したいためである。これにより、バグフィルターの負荷も少なくなる。
【００１０】
また、出口フード５の上部に空気排出口４があると、空気供給管２から回転ドラム６内に供給された空気ｅは、回転ドラム６の排出側上方に向かって進むことになる。掻き上げ板７により掻き上げられた廃棄物ａは、最下端の位置からほぼ１２０度の位置までで、自重により落下する。そして、選別用の空気ｅは、この落下する廃棄物ａに当てる必要がある。しかし、空気供給管２が環状空間１４の上半分に集中して、空気ｅが回転ドラム６の排出側上方に向かって進めば、廃棄物ａに空気ｅを有効的に当てることができない。このため、必要量の空気ｅを当てるには、能力の大きい送風機を用いなければならない。
【００１１】
この発明は、回転ドラム内への空気送風機に能力の大きいものを使用することなく、上記単体中量物の選別、軽量物と重量物の円滑な分離、及び排気への軽量物の混入阻止を円滑に行うようにすることを課題とする。
【００１２】
【課題を解決するための手段】
上記課題を達成するために、この発明は、まず、上記掻き上げ板を、その出口フード側に向く方向と上記回転ドラムの筒軸方向との角度、すなわち取付角度を調整可能としたのである。この掻き上げ板の取付角度が可変であれば、その掻き上げ板による逆流作用も調節でき、その調節によって、単体中量物の選別も任意とすることができる。
【００１３】
つぎに、この発明は、上記各空気供給管は、上記回転ドラムの軸心を中心とするほぼ同心円上に配置されるとともに、上記掻き上げ板から廃棄物が多く落下する側に偏せられているものとしたのである。空気供給管が落下する側にあれば、その落下廃棄物に有効に空気が当たって、円滑な分離が行われる。
【００１４】
さらに、この発明は、上記出口フード内に、上記回転ドラムの端面のほぼ上半分を覆う遮蔽板を設けることとしたのである。この遮蔽板により、空気は回転ドラムの下半分を通過して排気口に至ろうとするので、落下廃棄物に有効に空気が当たって円滑な分離が行われる。
【００１５】
【発明の実施の形態】
この発明の実施の形態としては、回転ローラ上に、両端が開口されかつ内部に多数の逆送り用の掻き上げ板を有する円筒状回転ドラムをほぼ水平に回転自在に載置し、その回転ドラムの両端の一方に入口フード３を、他方に出口フードを配置し、その入口フード側から前記回転ドラム内の軸心上に供給筒を有する供給手段を配設し、その供給筒と回転ドラムとの間の環状空間に空気を供給するとともに、前記供給手段により廃棄物を回転ドラム内に送り込み、前記空気により軽量物を出口フード側に移送するとともに、重量物を前記掻き上げ板の逆送り作用により入口フード側に逆送する廃棄物の回転式風力選別装置において、下記の構成(1)〜(3)のいずれか一つ、またはそれらの２又は３の組み合わせのものを採用し得る。
【００１６】
(1)  上記掻き上げ板は、その掻き上げ板の長手方向と上記回転ドラムの筒軸方向との角度が調整可能となっている。
【００１７】
(2)  上記供給筒と回転ドラムとの間の環状空間に空気を供給する手段は複数の空気供給管から成り、その各空気供給管は、前記回転ドラムの軸心を中心とするほぼ同心円上に配置されるとともに、上記掻き上げ板から廃棄物が多く落下する側に偏せられている。
【００１８】
(3)  上記出口フード内に、上記回転ドラムの端面のほぼ上半分を覆う遮蔽板を設ける。
【００１９】
【実施例】
以下、この発明の一実施例を、図１乃至図４を参照して説明すると、１は回転式選別機本体で、空気供給管２が固定された入口フード３と、空気排出口４を備えた出口フード５と、両フード３、５の間に設けられた円筒状回転ドラム６を備えている。その回転ドラム６は、両端が開口されて、フード３側はラッパ状に拡径されている。また、回転ドラム６の内周面には多数の掻き上げ板７が設けられている。そして、回転ドラム６は、回転ローラ８の上に載置されて、図示しない駆動機により図２矢印のごとく回転される。
【００２０】
上記掻き上げ板７は、廃棄物ａを掻き上げるとともに入口フード３側へ返送するように回転ドラム６の軸線に対して傾けて取付けられている。また、回転ドラム６の出口フード５側開口には、飛び越し防止用の堰板１５が設けてある。この堰板１５は無くてもよい。
【００２１】
上記入口フード３には、供給手段としてのスクリューフィーダ９と、複数の空気供給管２が固定されており、入口フード３の下部には、重量物出口１０が形成されている。なお、それぞれの空気供給管２には、流量調整用のダンパ１６が設けられている。スクリューフィーダ９の円筒状ケーシング（供給管）１１は、回転ドラム６と同一軸線上に配置されるとともに、その末端は回転ドラム６の長さ方向略中央に位置している。そして、回転ドラム６内面とケーシング１１の外面との間が環状空間１４となっている。
【００２２】
上記空気供給管２は、図２に示すように、回転ドラム６の軸心を中心とするほぼ同心円上に５本配置されるとともに、左下の部分に、すなわち、矢印方向の回転ドラム６の回転に伴って廃棄物ａが掻き上げ板７から多く落下する側に集中して配置されている。この配置は、最下端から１２０度程度掻き上げられた位置から落下する廃棄物ａに有効に空気ｅが当たるようにする。空気供給管２の数は任意である。因みに、回転ドラム６が逆回転であれば、空気供給管２は右下の部分に集中させる。出口フード３には、斜め上方に空気排出口４が、下部に軽量物出口１２が形成され、空気排出口４の手前に短冊状のスクリーン１３が設けられている。
【００２３】
上記掻き上げ板７は、回転ドラム６の軸線に沿って５列で、各列は円周方向に等分に４個設けられている。また、入口フード３側３列は低いもの、出口フード５側は高いものを用いている。この掻き上げ板７は、断面がＬ字形の鋼材が用いられており、取付板１７を介して、回転ドラム６を貫通する１本のボルト１８により固定されている。掻き上げ板７の軸線方向及び周方向の数は任意である。
【００２４】
回転ドラム６の排出側は、その上半部を覆うための遮蔽板１９が出口フード５に取付けられている。遮蔽板１９は、軸２０を介して出口フード５に垂下されており、回転ドラム６の内部を点検する場合などには、遮蔽板１９を斜め上方に持ち上げて行うとよい。
【００２５】
この実施例は以上のとおりであり、つぎに、その作用を説明すると、まず、回転ローラ８を回転させることで、回転ドラム６を回転させるとともに、各空気供給管２に空気ｅを送る。この状態で、あらかじめ破砕された都市ごみ等の廃棄物ａをスクリューフィーダ９により回転ドラム６の中央部付近に落下させると、空気供給管２からの空気ｅにより、廃棄物ａ中の軽量物ｃは出口フード４側へ移送され、掻き上げ板７の逆送り作用により重量物ｂは入口フード３側へ移送される。また、軽量物ｃと重量物ｂが絡み合っている廃棄物ａは、掻き上げ板７より落下する際の分離作用及び空気ｅとの衝突作用によりその両者ｂ、ｃに分離する。この作用により、廃棄物ａは、重量物ｂと軽量物ｃのいずれかに選別される。
【００２６】
このとき、単体中量物は、軽量物ｃか重量物ｂのいずれかに選別されるが、例えば、薄い木材片が重量物ｂにあれば、掻き上げ板７を取付板１７に固定しているボルト１８をゆるめ、掻き上げ板７の取付角度（その掻き上げ板７の長手方向と回転ドラム６の筒軸方向との角度）θを小さくした後、再びボルト１８で固定する。これにより、薄い木材片等の単体中量物は掻き上げ板７により以前より上方へ持ち上げられた後落下することになり、落下中に受ける風の影響が大きくなるので、落下位置も以前より前方（出口フード４側）となる。逆に取付角度θを大きくすれば、以前より下方で落下することになり、風の影響が少なくなり、以前より後方に落下する。したがって、この傾斜角度（取付角度）θを変えることで、薄い木材片等の単体中量物を、軽量物ｃとして、あるいは重量物ｂとして選別することができる。すなわち、掻き上げ板７が溶接などにより固定されていれば、このような調整は不可能であるが、取付角度θを調整できるため、廃棄物ａの性状に応じて、選別することが可能である。これは、廃棄物ａ中の水分が季節により異なったりしても、取付角度θを調整することができ、選別精度への影響が少ないこととなる。
【００２７】
また、この回転式選別機１に供給される空気ｅは、軽量物ｃを出口フード４側へ移送することと、掻き上げ板７から落下してくる廃棄物ａから軽量物ｃを分離することを主目的としている。このことから、空気供給管２を右下の部分に集中して配設しているので、掻き上げ板７から落下してくる廃棄物ａに対して、集中的に空気ｅを当てることができて、その分離作用は円滑である。このとき、落下の状況を見て、空気供給が不要な空気供給管２の一部をダンパー１６などにより塞いで、効率的に空気ｅを当てるようにしてもよい。
【００２８】
なお、環状空間１４を狭くしていることにより、少量の空気ｅでも、空気ｅの流速が速くなり、分離効率を維持できる。また、環状空間１４が狭くなっているので、その空間１４内又は近くの掻き上げ板７の高さを小さくしている。
【００２９】
さらに、遮蔽板１９が設けられているので、その遮蔽板１９によって空気ｅが回転ドラム６の下半部を流れることとなり、落下中の廃棄物ａに効率よく空気ｅを当てることができるとともに、出口フード５側に向かう軽量物ｃが遮蔽板１９に当たって出口１２に至る。なお、この例では、遮蔽板１９は、ピン２０を中心に回転自在としているが、出口フード５に固定されていてもよく、上下に移動可能なスライド式にしてもよい。
【００３０】
【発明の効果】
この発明は、以上のようにしたので、回転ドラム内への空気送風機に能力が大きいものを使用することなく、単体中量物の円滑な選別、軽量物と重量物の円滑な分離を行うことができる。また、送風量を少なくできるので、排気中への塵埃（軽量物）の同伴を抑制することができるとともに、後工程での集塵機や排気機の能力を小さいものとし得る。
【図面の簡単な説明】
【図１】一実施例の概略断面図
【図２】同実施例のドラム切断右側面図
【図３】同実施例の出口側概略切断左面図
【図４】同実施例の掻き上げ板部分の斜視図
【符号の説明】
１  回転式選別機本体
２  空気供給管
３  入口フード
４  空気排出口
５  出口フード
６  回転ドラム
７  掻き上げ板
８  ローラ
９  スクリューフィーダ
１０  重量物出口
１１  ケーシング
１２  軽量物出口
１３  スクリーン
１４  環状空間
１５  堰板
１６  ダンパ
１７  取付板
１８  ボルト
１９  遮蔽板
２０  ピン
ａ  廃棄物
ｂ  重量物
ｃ  軽量物
ｄ  排気
ｅ  空気
【図１】
0003602761.tif 000002
【図２】
0003602761.tif 000003
【図３】
0003602761.tif 000004
【図４】
0003602761.tif 000005